(57)【要約】  【課題】利便性、携帯性、更にはデザイン性に優れており、複数の機能のそれぞれの使用形態に応じて、筐体を構成する部材の配置を変えられるようにする。  【解決手段】表示画面１２１などを有する上部筐体２と、テンキー１３４ａなどを有する下部筐体３（上部筐体と略同一形状）とを、表示画面の存在する面及びテンキーの存在する面を対向させずに同一方向を向くように重ね合わせて、携帯電話機１を構成する。上部筐体と下部筐体とは、所定のスライド機構及び回動機構によって係合されており、上部筐体を下部筐体に対して長軸方向にスライド可能とするとともに、上部筐体が下部筐体に対して、所定の支軸を中心として、スライド面内で回動可能とする。また、下部筐体に対する上部筐体が略９０°回動及び略１８０°回動となる配置で固定できるようにする。さらに、上部筐体と下部筐体との間で無線通信を行い、上部筐体と下部筐体とを分離して使用可能とする。【選択図】  図１
2005094511.tif 000002
【特許請求の範囲】
【請求項１】
表示手段を有する第１の筐体と、ユーザによる操作を可能とする操作手段を有し、前記第１の筐体と略同一形状の第２の筐体とにより構成される携帯電話機であって、
前記第１の筐体と前記第２の筐体とが互いに重なり合った配置から、前記第１の筐体が前記第２の筐体に対して、所定の方向にスライド可能となるよう前記第１の筐体及び前記第２の筐体を相互に係合するスライド係合手段と、
前記スライド係合手段による前記第１の筐体のスライド面の垂線と略平行となる所定の支軸を中心として、前記第１の筐体が前記第２の筐体に対して回動可能となるよう前記第１の筐体及び前記第２の筐体を相互に係合する回動係合手段とを、
有する携帯電話機。
【請求項２】
前記第１の筐体を前記第２の筐体に対してスライドさせることによって、前記第２の筐体に設けられた前記操作手段が外部に露出するよう構成されている請求項１に記載の携帯電話機。
【請求項３】
前記回動係合手段を利用した前記第２の筐体に対する前記第１の筐体の回動角度が略９０°のときに、前記第１の筐体と前記第２の筐体の配置を固定する略９０°配置固定手段を有する請求項１又は２に記載の携帯電話機。
【請求項４】
前記スライド面を形成する２軸方向に関して、それぞれの軸方向における前記第１及び第２の筐体の長さが異なるよう構成し、前記第１の筐体を前記第２の筐体に対して略９０°回動させた場合に新たに外部に露出される前記第１又は第２の筐体の所定箇所に、ユーザによる操作を可能とする操作手段が設けられている請求項１から３のいずれか１つに記載の携帯電話機。
【請求項５】
前記回動係合手段を利用した前記第２の筐体に対する前記第１の筐体の回動角度が略１８０°のときに、前記第１の筐体と前記第２の筐体の配置を固定する略１８０°配置固定手段を有する請求項１から４のいずれか１つに記載の携帯電話機。
【請求項６】
前記スライド係合手段を利用して前記第１の筐体を前記第２の筐体に対してスライドさせた後、前記第１の筐体を前記第２の筐体に対して略１８０°回動させた場合に前記表示手段を挟んで２つの操作手段が外部に露出されるよう前記第１及び第２の筐体のそれぞれの所定箇所に操作手段が設けられている請求項１から５のいずれか１つに記載の携帯電話機。
【請求項７】
前記表示手段の表示画面内における表示方向の制御を行うための表示制御手段を有する請求項１から６のいずれか１つに記載の携帯電話機。
【請求項８】
前記第１及び第２の筐体の両方が、相互に無線通信を行うための無線通信手段を有し、
前記第１の筐体と前記第２の筐体が分離可能であって、前記第１の筐体と前記第２の筐体とが分離された場合には、前記無線通信手段によって前記第１及び第２の筐体間における信号の伝送が行われるよう構成されている請求項１から７のいずれか１つに記載の携帯電話機。
【発明の詳細な説明】
【技術分野】
【０００１】
本発明は、使用形態に応じて筐体を構成する部材の配置を変えることが可能な多機能の携帯電話機に関する。
【背景技術】
【０００２】
近年、電話回線網に接続して通話をすることが可能な携帯電話機は、多機能化の傾向にあり、例えば、カメラの設置による撮像機能やテレビ電話機能、楽曲再生機能、ゲーム機能などが、１台の携帯電話機で実現可能となってきている。
【０００３】
一方、様々な使用形態に応じて、携帯電話機の筐体を構成する部材の配置（携帯電話機全体の形状）を変えることによって、利便性や携帯性を向上させるという工夫も行われている。例えば、携帯電話機には、ストレートタイプと呼ばれる携帯電話機の形状が変化しない構造のものに加え、携帯電話機を構成する２つの主要な部材がヒンジによって回動する折り畳みタイプの構造や、携帯電話機を構成する２つの主要な部材のうちの一方の部材が他方の部材に対してガイドレールなどによってスライドするスライドタイプの構造が存在する。
【０００４】
例えば、下記の特許文献１には、本体左右両端に設けられたガイドレールによって上下にスライドするキーパッドを有し、通常の音声通話時には、キーパッドを閉じた状態とし、メールなどの文字情報を読む際には、キーパッドを下方向へスライドさせることによって液晶表示部の全画面を露出させることが可能なスライドタイプの構造の携帯電話機が開示されている。
【特許文献１】特開２００１−２４７６２号公報（段落００１５〜００２２、図１、図２）
【発明の開示】
【発明が解決しようとする課題】
【０００５】
しかしながら、各機能には最適な使用形態がそれぞれ存在しており、各機能の使用形態に応じた携帯電話機の形状は、依然として工夫を必要としている。特に、技術の進歩と共に携帯電話機で実現可能な機能が増えるにつれて、他の機能に関する利便性を落とさないようにしながら、各機能の利便性を向上させる必要がある。
【０００６】
上記問題点に鑑み、本発明では、利便性、携帯性、更にはデザイン性に優れており、複数の機能のそれぞれの使用形態に応じて、筐体を構成する部材の配置を変えることが可能な多機能の携帯電話機を提供することを目的とする。
【課題を解決するための手段】
【０００７】
上記目的を達成するため、本発明の携帯電話機は、表示手段を有する第１の筐体と、ユーザによる操作を可能とする操作手段を有し、前記第１の筐体と略同一形状の第２の筐体とにより構成される携帯電話機であって、
前記第１の筐体と前記第２の筐体とが互いに重なり合った配置から、前記第１の筐体が前記第２の筐体に対して、所定の方向にスライド可能となるよう前記第１の筐体及び前記第２の筐体を相互に係合するスライド係合手段と、
前記スライド係合手段による前記第１の筐体のスライド面の垂線と略平行となる所定の支軸を中心として、前記第１の筐体が前記第２の筐体に対して回動可能となるよう前記第１の筐体及び前記第２の筐体を相互に係合する回動係合手段とを、
有する構成とした。
上記構成により、携帯電話機を構成する第１及び第２の筐体の配置をスライド機構及び回動機構によって変えることが可能となり、利便性、携帯性、更にはデザイン性に優れ、複数の機能のそれぞれの使用形態に応じて、携帯電話機全体の形状を変えることが可能となる。
【０００８】
さらに、本発明の携帯電話機は、前記第１の筐体を前記第２の筐体に対してスライドさせることによって、前記第２の筐体に設けられた前記操作手段が外部に露出するよう構成した。
上記構成により、数字ボタンの配列により構成されるテンキーなどの操作手段を第２の筐体に配置し、第１の筐体をスライドさせることによって、通話を行う際のダイアル操作などを始めとする様々な操作が行えるようになる。
【０００９】
さらに、本発明の携帯電話機は、前記回動係合手段を利用した前記第２の筐体に対する前記第１の筐体の回動角度が略９０°のときに、前記第１の筐体と前記第２の筐体の配置を固定する略９０°配置固定手段を有するよう構成した。
上記構成により、第１の筐体と共に表示画面を略９０°回動させた状態とすることが可能となり、例えば、縦長の表示画面を横長の表示画面とすることが可能となる。
【００１０】
さらに、本発明の携帯電話機は、前記スライド面を形成する２軸方向に関して、それぞれの軸方向における前記第１及び第２の筐体の長さが異なるよう構成し、前記第１の筐体を前記第２の筐体に対して略９０°回動させた場合に新たに外部に露出される前記第１又は第２の筐体の所定箇所に、ユーザによる操作を可能とする操作手段が設けられている。
上記構成により、第１の筐体を略９０°回動させた場合に新たな操作手段が外部に露出されるようにし、例えば、第１の筐体を略９０°回動させた状態でのみ使用する機能をこの操作手段に割り当てることが可能となる。
【００１１】
さらに、本発明の携帯電話機は、前記回動係合手段を利用した前記第２の筐体に対する前記第１の筐体の回動角度が略１８０°のときに、前記第１の筐体と前記第２の筐体の配置を固定する略１８０°配置固定手段を有するよう構成した。
上記構成により、第１の筐体と共に表示画面を略１８０°回動させた状態とすることが可能となり、例えば、縦長の表示画面を横長の表示画面とすることが可能となる。
【００１２】
さらに、本発明の携帯電話機は、前記スライド係合手段を利用して前記第１の筐体を前記第２の筐体に対してスライドさせた後、前記第１の筐体を前記第２の筐体に対して略１８０°回動させた場合に前記表示手段を挟んで２つの操作手段が外部に露出されるよう前記第１及び第２の筐体のそれぞれの所定箇所に操作手段が設けられている。
上記構成により、ユーザは、一方の操作手段の周辺を右手で把持し、他方の操作手段の周辺を左手で把持した状態で表示画面を見ることが可能となり、表示画面を見ながら、それぞれの手で独立した操作が必要な機能を利用する場合（例えば、ゲームを行う場合など）に有用な形状とすることが可能となる。
【００１３】
さらに、本発明の携帯電話機は、前記表示手段の表示画面内における表示方向の制御を行うための表示制御手段を有するよう構成した。
上記構成により、表示画面内における表示方向が、ユーザに対して常に適切な方向となるよう制御することが可能となる。
【００１４】
さらに、本発明の携帯電話機は、前記第１及び第２の筐体の両方が、相互に無線通信を行うための無線通信手段を有し、
前記第１の筐体と前記第２の筐体が分離可能であって、前記第１の筐体と前記第２の筐体とが分離された場合には、前記無線通信手段によって前記第１及び第２の筐体間における信号の伝送が行われるよう構成した。
上記構成により、第１の筐体と第２の筐体とを分離して利用することが可能となる。
【発明の効果】
【００１５】
本発明の携帯電話機は、表示手段を有する第１の筐体と、ユーザによる操作を可能とする操作手段を有し、前記第１の筐体と略同一形状の第２の筐体とにより構成される携帯電話機であって、
前記第１の筐体と前記第２の筐体とが互いに重なり合った配置から、前記第１の筐体が前記第２の筐体に対して、所定の方向にスライド可能となるよう前記第１の筐体及び前記第２の筐体を相互に係合するスライド係合手段と、
前記スライド係合手段による前記第１の筐体のスライド面の垂線と略平行となる所定の支軸を中心として、前記第１の筐体が前記第２の筐体に対して回動可能となるよう前記第１の筐体及び前記第２の筐体を相互に係合する回動係合手段とを、
有するよう構成されているので、携帯電話機を構成する第１及び第２の筐体の配置をスライド機構及び回動機構によって変えることが可能となり、利便性、携帯性、更にはデザイン性に優れ、複数の機能のそれぞれの使用形態に応じて、携帯電話機全体の形状を変えることが可能であるという効果を有している。
【発明を実施するための最良の形態】
【００１６】
以下、図面を参照しながら、本発明の実施の形態における携帯電話機について説明する。まず、図１及び図２を参照しながら、本発明の実施の形態における携帯電話機の概要及び内部構成について説明する。図１は、本発明の実施の形態における携帯電話機の外観を示す図であり、（ａ）は、本発明の実施の形態における携帯電話機を構成する２つの筐体のうちの上部筐体の平面図、（ｂ）は、本発明の実施の形態における携帯電話機を構成する２つの筐体のうちの下部筐体の平面図、（ｃ）は、本発明の実施の形態における携帯電話機の収納時の状態を示す側面図である。また、図２は、本発明の実施の形態における携帯電話機の内部構成を示すブロック図である。なお、図１（ｃ）では、上部筐体２の表示画面１２１が存在する面と、下部筐体３のテンキー１３４ａが存在する面とが対向せず、同一方向を向くよう構成されている。
【００１７】
本発明の実施の形態における携帯電話機１は、図１（ａ）に示す上部筐体（第１の筐体）２及び図１（ｂ）に示す下部筐体（第２の筐体）３の２つの略同一の形状を有する筐体により構成されている。そして、上部筐体２は、表示部２１、操作部２２、撮像部２３、音声出力部２４、接続切換部２５、接続Ｉ／Ｆ（接続インターフェイス）２６、無線Ｉ／Ｆ（無線インターフェイス）２７を有しており、下部筐体３は、ＣＰＵ（Central Processing Unit）３１、ＲＡＭ（Random Access Memory）３２、ＲＯＭ（Read Only Memory）３３、操作部３４、通話部３５、音声出力部３６、音声入力部３７、接続切換部３８、接続Ｉ／Ｆ３９、無線Ｉ／Ｆ４０を有している。
【００１８】
上部筐体２の表示部２１は、静止画像や動画像、文字情報などの各種情報を表示するためのものであり、図１（ａ）に示す表示画面１２１に対応している。また、上部筐体２の操作部２２は、ユーザが情報を入力したり、例えば、様々な機能を使用する際の指示を入力したりするものであり、図１（ａ）に示す操作キー１２２に対応している。また、上部筐体２の撮像部２３は、静止画像や動画像の撮像を行うものであり、図１（ａ）に示すカメラ１２３ａに対応している。また、上部筐体２の音声出力部２４は、音声を外部に報知するためのものであり、図１（ａ）に示すスピーカ１２４に対応している。
【００１９】
一方、下部筐体３のＣＰＵ３１は、当該携帯電話機１における主要な処理を行う処理手段である。また、下部筐体３のＲＡＭ３２及びＲＯＭ３３は、当該携帯電話機１において動作する（ＣＰＵ３１によって実行される）プログラムや、ユーザによって撮像された撮像画像、送受信した電子メール、電話番号／メールアドレス登録情報などの各種情報を格納したり、情報処理過程における作業領域を提供したりすることが可能な情報格納手段である。また、下部筐体３の操作部３４は、ユーザが情報を入力したり、例えば、様々な機能を使用する際の指示を入力したりするものであり、図１（ｂ）に示すテンキー１３４ａやファンクションキー１３４ｂに対応している。また、下部筐体３の通話部３５は、アンテナに接続されており、公衆電話回線網に接続して通話や電子メール（以下、単にメールと呼ぶ）の送受信を行うことを可能とするものである。また、下部筐体３の音声入力部３６は、ユーザが音声（特に、通話時のユーザの声）を入力するためのものであり、図１（ｂ）に示す送話口１３６に対応している。また、下部筐体３の音声出力部３７は、音声を外部に報知するためのものであり、図１（ｂ）に示す受話口１３７に対応している。
【００２０】
また、上部筐体２の接続Ｉ／Ｆ２６と下部筐体３の接続Ｉ／Ｆ３９とは、上部筐体２の接点と下部筐体３とが所定の接点を介して接触することによって、２つの筐体２、３間における信号の伝送を可能とするものである。また、上部筐体２の無線Ｉ／Ｆ２７と下部筐体３の無線Ｉ／Ｆ４０とは、上部筐体２と下部筐体３とが非接触の状態において、所定の無線通信方式（例えば、近距離通信を可能とするブルートゥース（BlueTooth））によって信号の伝送を可能とするものである。また、上部筐体２及び下部筐体３の接続切換部２５、３８は、両方の筐体２、３が接触状態にあって接続Ｉ／Ｆ２６、３９を通じた信号の伝送が可能な場合には、接続Ｉ／Ｆ２６、３９を介して信号の伝送を行うよう制御し、両方の筐体２、３が非接触状態にあって接続Ｉ／Ｆ２６、３９を通じた信号の伝送が不可能な場合には、無線Ｉ／Ｆ２７、４０を介して信号の伝送を行うよう制御するものである。なお、接続切換部２５、３８や接続Ｉ／Ｆ２６、３９を設けず、常に無線Ｉ／Ｆ２７、４０を介して信号の伝送が行われるようにすることも可能である。
【００２１】
上記のように、接続切換部２５、３８によって、上部筐体２及び下部筐体３の分離・接触状態に応じて、２つの筐体２、３間において、接点を通じた信号伝送と無線通信による信号伝送との切り換えが行われるようになる。これにより、上部筐体２と下部筐体３とが所定の配置によって接触している場合でも、あるいは、上部筐体２と下部筐体３とが離れて存在している場合でも、その分離・接触状態とは無関係に２つの筐体２、３間での信号の伝送が可能となり、携帯電話機１全体としての機能は維持される。
【００２２】
なお、図２では、ＣＰＵ３１、ＲＡＭ３２、ＲＯＭ３３、通話部３５が下部筐体３に設けられているが、これらの設置位置は特に限定されず、これらの各構成要素を上部筐体２に設置することも可能である。また、不図示ではあるが、例えば、可搬性記憶媒体を読み取るためのＩ／Ｆや、ＧＰＳ（Global Positioning System）信号を受信するためのＧＰＳ受信部などを始めとして、その他の様々な構成要素を設けることも可能である。また、不図示ではあるが、電力を供給する電源は、上部筐体２及び下部筐体３のそれぞれに設置されている。
【００２３】
次に、上記の上部筐体２及び下部筐体３の配置を変えて、携帯電話機１全体の形状を変化させる場合について、図３〜図７を参照しながら説明する。図３は、本発明の実施の形態における携帯電話機の上部筐体及び下部筐体を重ね合わせた状態を示す平面図である。また、図４は、図３に示す状態から上部筐体を下部筐体に対して長軸方向にスライドさせた状態を示す平面図であり、（ａ）は、上部筐体２の表示部を含む面を示す図、（ｂ）は、（ａ）の裏側の面を示す図である。また、図５は、図４に示す状態から所定の支軸を中心として、上部筐体を反時計回りに略９０°回動した状態を示す図である。また、図６は、図５に示す状態から所定の支軸を中心として、下部筐体を時計回りに略９０°回動した状態を示す図である。また、図７は、本発明の実施の形態における携帯電話機の上部筐体及び下部筐体を分離した状態を示す図である。
【００２４】
図３に示す携帯電話機１の形状は、図１（ｃ）に示すものと同一である。すなわち、図３では、上部筐体２と下部筐体３とを重ね合わせて携帯電話機１をコンパクトな形状にしたものが図示されている。図３に示す携帯電話機１の形状は、特に、ユーザが携帯電話機１をポケットなどに収納する際に便利な形状である。
【００２５】
また、図４に示す携帯電話機１の形状は、図３に示す状態から上部筐体２を下部筐体３に対して長軸方向（図面の上下方向）にスライドさせて、下部筐体３のテンキー１３４ａを露出させた状態である。このスライド動作は、従来から存在する様々なスライド係合手段を利用することによってスライド機構を実現することが可能であるが、例えば、下部筐体３の受話口１３７付近に所定の形状の突起部を設けるとともに、上部筐体２の裏側の面に長軸方向に溝を有し、かつ、受話口１３７付近の突起部がこの溝に嵌合できるようなスライド用レール（スライド係合手段）１２５を設ける構成とする。そして、受話口１３７付近の突起部がスライド用レール１２５に嵌合しながら、長軸方向にスライドすることによって、下部筐体３の位置に対して上部筐体２が相対的に長軸方向に移動し、図３に示す状態から図４に示す状態となる。なお、ユーザが所定の応力を与えない限り、携帯電話機１は、図４に示す形状で固定されるようにすることが望ましい。
【００２６】
上記の構成により、図４に示す携帯電話機１の形状は、ユーザが通話時やメール入力などの動作を行うために必要なテンキー１３４ａが露出されるとともに、送話口１３６が露出された状態となるので、通常の携帯電話機１の形状に酷似し、特に、通話やメール送信などの操作を行う際に便利な形状となる。
【００２７】
また、図４（ｂ）に示すように、上部筐体２の裏側の面の上端部付近（スライド動作によって外部に露出される箇所）に、表側の面に設置されたカメラ１２３ａとは異なるカメラ１２３ｂを設けることも可能である。これにより、図４に示す携帯電話機１の形状では、上部筐体２の表面及び裏面に設置されているカメラ１２３ａ、１２３ｂが共に外部に露出され、所望の撮像対象の撮像が可能となる。したがって、この形状にすれば、カメラ１２３ａでユーザ自身を撮像できるとともに、カメラ１２３ｂで撮像される映像を表示画面で閲覧しながら、ユーザの正面に存在する撮像対象を撮像することも可能となる。
【００２８】
また、図５に示す携帯電話機１の形状は、図４に示す状態から所定の支軸（図５では、表示画面１２１の中央部付近に存在する）を中心として、上部筐体２を反時計回りに略９０°回動した状態である。この回動動作も、従来から存在する様々な回動係合手段を利用することによって回動機構を実現することが可能であるが、例えば、スライド用レール１２５に嵌合する突起部の形状を、支軸を中心として回動可能となるよう円形状にすることによって、スライド用レール１２５に嵌合した状態を保持しながら、上部筐体２を下部筐体３に対して相対的に回動することが可能となる。なお、図５では、略９０°回動させた状態が図示されているが、任意の角度に回動し、所望の角度で携帯電話機１の形状を固定して使用することも可能である。また、回動角度に応じて表示画面１２１内の上下方向の向きを制御して、ユーザの使用形態に合わせた表示を行うようにするため、例えば、ＣＰＵ３１や別に設けられた表示制御手段によって表示画面１２１の表示方向の制御を行うことが望ましい。
【００２９】
また、上部筐体２は長軸方向（例えば、図４の上下方向）の長さが短軸方向（例えば、図４の左右方向）の幅よりも長いため、図４に示す携帯電話機１の形状と比べて、図５に示す携帯電話機１では、より広い範囲にわたって下部筐体３の面が外部に露出されることとなる。このような特徴を利用して、例えば、図４に示す携帯電話機１では外部に完全には露出されず、上部筐体２を略９０°回動した場合（図５に示す状態）に外部にほぼ完全に露出される下部筐体３の所定箇所に、ファンクションキー１３４ｂを設け、上部筐体２を略９０°回動した状態でのみ使用される様々な付加的機能のコマンドを、このファンクションキー１３４ｂに割り当てるようにすることも可能である。
【００３０】
上記の構成により、図５に示す携帯電話機１の形状は、上部筐体２の表示画面の向き（ユーザに対する表示向き）を変えずに、表示画面１２１内の上下方向を回動動作によって自由に変えることが可能となる。また、特に、ユーザが所定の応力を与えない限り、図５に示す上部筐体２を反時計回りに略９０°回動した状態で固定されるようにすることが望ましい。携帯電話機１の形状を図５に示す上部筐体２が略９０°回動した形状とすることによって、図４に示す状態から表示画面が９０°回動した状態となり、例えば、図４に示す形状では縦長の表示画面１２１だったものを、横長の表示画面１２１として利用することができる。図５に示すような表示画面１２１が横長となる携帯電話機１の形状は、例えば、テレビ電波受信機能によって受信再生するテレビ画面の表示や、デジタルビデオカメラ機能による撮像映像の確認などに好適な形状である。
【００３１】
また、図６に示す携帯電話機１の形状は、図５に示す状態から所定の支軸を中心として、下部筐体３を時計回りに略９０°回動した状態である。なお、図４に示す携帯電話機１の形状から、上部筐体２又は下部筐体３のどちらか一方を、所定の支軸を中心として略１８０°回動することによっても、図６に示す携帯電話機１の形状を実現することが可能である。この図６に示す携帯電話機１の形状では、上部筐体２の操作キー１２２と下部筐体３のテンキー１３４ａとの間に挟まれる位置に、横長の表示画面１２１が配置された状態となる。したがって、ユーザは、例えば、右手で上部筐体２の操作キー１２２付近を把持し、左手で下部筐体３のテンキー１３４ａ付近を把持することによって、表示画面１２１を見ながら両手の指で携帯電話機１の操作が行えるようになり、例えば、操作キー１２２を選択ボタン、テンキー１３４ａやその他のキー（例えば、ナビゲーションキー）を上下スクロールボタンとして、表示画面１２１に表示されるゲーム画面を見ながらゲームを行う場合に理想的な形状となる。なお、この図６に示す携帯電話機１の形状に関しても、ユーザが所定の応力を与えない限り固定されるようにすることが望ましい。
【００３２】
また、図７には、上部筐体２と下部筐体３とが分離されて（非接触状態で）、使用される場合が図示されている。なお、上述のように、この場合には無線Ｉ／Ｆ２７、４０が無線通信を行って、上部筐体２と下部筐体３との間で信号の伝送が行われる。図７に示す携帯電話機１の形状は、上部筐体２及び下部筐体３のどちらか一方のみを主に使用する場合に有用であり、例えば、タッチペン１５０による情報入力が可能な表示画面１２１を有する上部筐体２をＰＤＡ（Personal Digital Assistance）のように利用する際に有用である。また、下部筐体３を頭部周辺に近づけると同時に、上部筐体２で表示画面１２１を閲覧することも可能となるので、携帯電話機１によって、テレビ電話による通話を行う場合にも有用である。
【００３３】
上記のように、本発明の携帯電話機１では、上部筐体２と下部筐体３との相対的な位置を様々に変えることによって、複数の機能のそれぞれの使用形態に応じた携帯電話機１の形状を実現することが可能となる。なお、上記では、図３に示す形状は携帯電話機１を収納する場合に有用な形状、図４に示す形状は通話やメール作成及び送受信を行う場合や、２つのカメラ１２３ａ、１２３ｂを利用したデジタルカメラとして使用する場合に有用な形状、図５に示す形状は、テレビを視聴したり、携帯電話機１をデジタルビデオカメラとして使用したりする場合に有用な形状、図６に示す形状は、携帯電話機１をゲーム機として使用する場合に有用な形状、図７に示す形状は、テレビ電話を行う場合や、携帯電話機１をＰＤＡとして使用する場合に有用な形状であると説明したが、携帯電話機１の使用形態と携帯電話機１の形状との関係は限定的なものではなく、ユーザが任意の形状で任意の機能を使用することができるようにすることも可能である。また、上記の各機能は一例であり、携帯電話機１において、その他の様々な機能を実現することが可能である。
【産業上の利用可能性】
【００３４】
本発明は、利便性、携帯性、更にはデザイン性に優れており、複数の機能のそれぞれの使用形態に応じて、筐体を構成する部材の配置を変えることが可能な多機能の携帯電話機を実現することが可能であり、使用形態に応じて筐体を構成する部材の配置を変えることが可能な多機能の携帯電話機として適用可能である。
【図面の簡単な説明】
【００３５】
【図１】本発明の実施の形態における携帯電話機の外観を示す図  （ａ）本発明の実施の形態における携帯電話機を構成する２つの筐体のうちの上部筐体の平面図  （ｂ）本発明の実施の形態における携帯電話機を構成する２つの筐体のうちの下部筐体の平面図  （ｃ）本発明の実施の形態における携帯電話機の収納時の状態を示す側面図
【図２】本発明の実施の形態における携帯電話機の内部構成を示すブロック図
【図３】本発明の実施の形態における携帯電話機の上部筐体及び下部筐体を重ね合わせた状態を示す平面図
【図４】図３に示す状態から上部筐体を下部筐体に対して長軸方向にスライドさせた状態を示す平面図  （ａ）上部筐体２の表示部を含む面を示す図  （ｂ）（ａ）の裏側の面を示す図
【図５】図４に示す状態から所定の支軸を中心として、上部筐体を反時計回りに略９０°回動した状態を示す図
【図６】図５に示す状態から所定の支軸を中心として、下部筐体を時計回りに略９０°回動した状態を示す図
【図７】本発明の実施の形態における携帯電話機の上部筐体及び下部筐体を分離した状態を示す図
【符号の説明】
【００３６】
１  携帯電話機
２  上部筐体（第１の筐体）
３  下部筐体（第２の筐体）
２１  表示部
２２、３４  操作部
２３  撮像部
２４、３６  音声出力部
２５、３８  接続切換部
２６、３９  接続Ｉ／Ｆ
２７、４０  無線Ｉ／Ｆ
３１  ＣＰＵ
３２  ＲＡＭ
３３  ＲＯＭ
３４  操作部
３５  通話部
３７  音声出力部
１２１  表示画面
１２２  操作キー
１２３ａ、１２３ｂ  カメラ
１２４  スピーカ
１２５  スライド用レール（スライド係合手段）
１３４ａ  テンキー
１３４ｂ  ファンクションキー
１３６  送話口
１３７  受話口
１５０  タッチペン
【図１】
2005094511.tif 000003
【図２】
2005094511.tif 000004
【図３】
2005094511.tif 000005
【図４】
2005094511.tif 000006
【図５】
2005094511.tif 000007
【図６】
2005094511.tif 000008
【図７】
2005094511.tif 000009